(57)【要約】【課題】撒き餌籠の籠胴部を開放形状にして、撒き餌籠内に撒き餌を収納しやすくする。【解決手段】多数本の籠縦材２の中途部から先端部７までを環状に配列して籠胴部８を形成し、この籠縦材２を中途部で屈曲し且つ基端部９側を径内方向に収束してハブ部１０を形成し、籠縦材２の屈曲部１４近傍を径外結束具４で環状に結束するとともに基端部９側を径内結束具３で環状に結束しており、前記径外結束具４に対して径内結束具３を籠内外方向同一位置Ａから籠外Ｂ側に位置させて籠胴部８を胴形状とする収縮姿勢１５と、前記径外結束具４に対して径内結束具３を籠内外方向同一位置Ａから籠内Ｃ側に位置させて籠胴部８を開放形状とする開放姿勢１６とに姿勢変更する姿勢変更機構を設けている。【選択図】　　　図３
2004141108.tif 000002
【特許請求の範囲】
【請求項１】
多数本の籠縦材（２）の中途部から先端部（７）までを環状に配列して籠胴部（８）を形成し、この籠縦材（２）を中途部で屈曲し且つ基端部（９）側を径内方向に収束してハブ部（１０）を形成し、籠縦材（２）の屈曲部（１４）又はその近傍を径外結束具（４）で環状に結束するとともに基端部（９）側を径内結束具（３）で環状に結束しており、前記径外結束具（３）に対して径内結束具（４）を籠内外方向同一位置（Ａ）から籠外（Ｂ）側に位置させて籠胴部（８）を胴形状とする収縮姿勢（１５）と、前記径外結束具（４）に対して径内結束具（３）を籠内外方向同一位置（Ａ）から籠内（Ｃ）側に位置させて籠胴部（８）を開放形状とする開放姿勢（１６）とに姿勢変更する姿勢変更機構を設けていることを特徴とする撒き餌籠。
【請求項２】
前記姿勢変更機構は、径内結束具（３）が径外結束具（４）に対して籠内外方向同一位置（Ａ）にあるときに、籠縦材（２）の中途部に対して収縮方向の弾発力を与える外付勢手段（１７）を有することを特徴とする請求項１に記載の撒き餌籠。
【請求項３】
前記姿勢変更機構は、径内結束具（３）が径外結束具（４）に対して籠内外方向同一位置（Ａ）にあるときに、籠縦材（２）の基端部（９）に対して伸張方向の弾発力を与える内付勢手段（２８）を有することを特徴とする請求項１に記載の撒き餌籠。
【発明の詳細な説明】
【０００１】
【発明の属する技術分野】
本発明は、撒き餌等を収納する撒き餌籠に関するものである。
【０００２】
【従来の技術】
魚釣りにおいて用いられる撒き餌籠は、例えば特開平２００１−２２４２９１号公報がある。この撒き餌籠には、開口部を有する餌籠本体が設けられ、餌籠本体を略円筒形状の金属メッシュ構造とし、この餌籠本体の上面（上側面）を全面に亘って開放することで開口部を形成しており、この開口部から撒き餌を餌籠本体内部に収容するようになっている。
【０００３】
【特許文献１】
特開平２００１−２２４２９１号公報
【０００４】
【発明が解決しようとする課題】
しかしながら、従来の撒き餌籠では、餌籠本体の上面を全面に亘って開放して開口部を形成しているが、その開口面積は不変であるため、撒き餌を入れにくいことがあった。
そこで、本発明は、上記問題点に鑑み、籠胴部を開放形状になるように姿勢変更可能して、内部に撒き餌を容易に収納できるようにした撒き餌籠を提供することを目的とする。
【０００５】
【課題を解決するための手段】
本発明における課題解決のための第１の具体的手段は、多数本の籠縦材２の中途部から先端部７までを環状に配列して籠胴部８を形成し、この籠縦材２を中途部で屈曲し且つ基端部９側を径内方向に収束してハブ部１０を形成し、籠縦材２の屈曲部１４近傍を径外結束具４で環状に結束するとともに基端部９側を径内結束具３で環状に結束しており、前記径外結束具４に対して径内結束具３を籠内外方向同一位置Ａから籠外Ｂ側に位置させて籠胴部８を胴形状とする収縮姿勢１５と、前記径外結束具４に対して径内結束具３を籠内外方向同一位置Ａから籠内Ｃ側に位置させて籠胴部８を開放形状とする開放姿勢１６とに姿勢変更する姿勢変更機構を設けられている点にある。
【０００６】
これによれば、籠胴部８を開放形状して撒き餌籠１を開放姿勢１６にすることによって撒き餌Ｍをハブ部１０に収納することができ、籠胴部８を胴形状にして撒き餌籠１を収縮姿勢１５にすることによってハブ部１０に収納された撒き餌Ｍを籠胴部８によって保持することができる。
本発明における課題を解決するため第２の手段は、第１の具体的手段に加えて、姿勢変更機構は、径内結束具３が径外結束具４に対して籠内外方向同一位置Ａにあるときに、籠縦材２の中途部に対して収縮方向の弾発力を与える外付勢手段１７を有していれば、籠内外同一位置Ａを基準として径内結束具３が籠内Ｃ側に移動した時には、径内結束具３は籠内Ｃ側に付勢され、径内結束具３が籠外Ｂ側に移動した時には径内結束具３は籠外Ｂ側に付勢されるようになり、径内結束具３を籠内外方向に移動させることによって撒き餌籠１を収縮姿勢１５、又は、開放姿勢１６のどちらか一方に切り換えることができる。
【０００７】
本発明における課題を解決するため第３の手段は、第１の具体的手段に加えて、姿勢変更機構は、径内結束具３が径外結束具４に対して籠内外方向同一位置Ａにあるときに、籠縦材２の基端部９に対して伸張方向の弾発力を与える内付勢手段２８を有していれば、上記記載と同様に、籠内外同一位置Ａを基準として径内結束具３を籠内外方向に移動させることによって撒き餌籠１を収縮姿勢１５、又は、開放姿勢１６のどちらか一方に切り換えることができる。
【０００８】
【発明の実施の形態】
本発明の実施の形態を図面に基づいて説明する。
図１〜５は本発明に係る撒き餌籠の第１の実施の形態を示している。
この撒き餌籠１は、多数本の籠縦材２と、この籠縦材２を結束する径内結束具３と、籠縦材２を径内結束具３とは異なる位置で結束する径外結束具４と、姿勢を変更する姿勢変更機構とを有している。
図１〜３に示すように、籠縦材２は、金属、プラスチックやその他の材料で略棒状に形成されており、各籠縦材２は互いの籠縦材２の間隔が略一定となるように環状に配置され、籠縦材２の中途部から基端部７にかけて径内方向に向けて屈曲角が鈍角となるように屈曲されて、籠縦材２の屈曲部１４から先端部７にかけて籠胴部８が形成されている。籠胴部８から先端部７側は次第に径内方向に湾曲されている。
【０００９】
各籠縦材２の基端部９は、環状配置の略中心に位置して収束しており、籠縦材２の屈曲部１４から基端部９にかけてハブ部１０が形成され、このハブ部１０には撒き餌Ｍが載置できるようになっている。また、ハブ部１０の略中心部に撒き餌籠１を吊すフック１１が設けられている。また、各籠縦材２の基端部９は略鉤形状になっており、紐状の径内結束具３をこの基端部９に括り付けることによって基端部９は環状に結束され位置変更可能となっている。
径外結束具４は、１本のばね材の中央に略くの字状の屈伸部１２と、その両端に１巻きした嵌合部１３とが形成されており、各ばね材の両端の嵌合部１３を各籠縦材２の屈曲部１４の近傍に嵌合して固着（溶着、接着）することにより、各籠縦材２は環状に結束され、各籠縦材２の周方向の互いの間隔は伸縮する径外結束具４によって変更可能となっている。
【００１０】
したがって、籠縦材２の基端部９は位置変更可能に結束されていると共に、籠縦材２の周方向の互いの間隔が変更可能になっているので、径外結束具４に対して径内結束具３は籠内外方向に相対移動することができ、この径内結束具３を籠内外方向に位置変化させることによって撒き餌籠１自体が姿勢変更するようになっている。
即ち、図１〜４に示すように撒き餌籠１の姿勢は、径外結束具４に対して径内結束具３が籠内外方向同一位置Ａから籠外Ｂ側に位置した時には籠胴部８が胴形状となる収縮姿勢１５となり、径外結束具４に対して径内結束具３が籠内外方向同一位置Ａから籠内Ｃ側に位置した時には籠胴部８は開放形状となる開放姿勢１６となっている。
【００１１】
また、撒き餌籠１が収縮姿勢１５であるときには、各籠縦材２は略起立した状態になっており、撒き餌籠１が開放姿勢１６であるときは、収縮姿勢１５からみて各籠縦材２が径外方向に移動して各籠縦材２の先端部７は径外結束具４よりも径外方向籠外側に位置している状態になっている。
径内結束具４が籠内外方向に移動した際に、撒き餌籠１が収縮姿勢１５、又は、開放姿勢１６のどちらか一方に切り換わるように姿勢変更機構には、径内結束具３が径外結束具４に対して籠内外方向同一位置Ａにあるときに、籠縦材２の中途部に対して収縮方向の弾発力を与える外付勢手段１７が設けられている。この外付勢手段１７は、径外結束具４にばね材を使用することにより構成されており、径外結束具４（ばね材）の収縮力によって籠縦材２の中途部に対して収縮方向の弾発力を与えるようにしている。
【００１２】
即ち、図１〜４に示すように撒き餌籠１が収縮姿勢１５、又は、開放姿勢１６であるときには、径外結束具４には殆ど収縮力が働かないようになっているが、例えば籠外Ｂ側にある径内結束具３が籠内Ｃ方向に移動すると、径外結束具４は径内結束具３の移動に伴って次第に引き延ばされ収縮力が働き始め、径内結束具３がさらに移動して径外結束具４と籠内外方向同一位置Ａになると、径外結束具３は最大に引き延ばされた状態になり径外結束具４の収縮力は最大となっている。また、上記記載とは反対に籠内Ｃ側にある径内結束具３が籠内Ｂ方向に移動する場合においても、上記同様に径内結束具３には収縮力が働き、径内結束具３が径外結束具４と籠内外方向同一位置Ａにあるときには、径外結束具４の収縮力は最大となる。
【００１３】
したがって、径内結束具３が径外結束具４に対して籠内外方向同一位置Ａにあるときには、径外結束具４の収縮力が最大となり、これにより籠縦材２の中途部は収縮方向の弾発力が与えられ、径内結束具３は籠内外方向同一位置Ａを基準として不安定切り換えされる。即ち、籠内外同一位置Ａを基準として径内結束具３が籠内Ｃ側に移動した時には径内結束具３は籠内Ｃ側に付勢され、径内結束具３が籠外Ｂ側に移動した時には径内結束具３は籠外Ｂ側に付勢されるようになり、撒き餌籠１を収縮姿勢１５、又は、開放姿勢１６に切り換えることができる。
【００１４】
次のようにすることで撒き餌Ｍを撒き餌籠１内に収納して撒き餌を保持することができる。
まず、撒き餌Ｍは粉状の集魚剤と解凍された赤アミとを混合されたものが通常用いられているので、この撒き餌Ｍを例えば手で握って略だんご状にする。この時の撒き餌Ｍの大きさは、撒き餌籠１を収縮姿勢１５にした際に撒き餌Ｍと籠胴部８が当接する程度の大きさにするのが好ましい。次に、図３に示すようにハブ部１０が下になる状態で籠胴部８を開放形状（撒き餌籠１を開放姿勢１６にする）にして、略だんご状の撒き餌Ｍを籠縦材２の先端部７側から籠内に挿入してハブ部１０に載置する。その後、籠胴部８を胴形状（撒き餌籠１を収縮姿勢１５）にすれば撒き餌Ｍは籠胴部８に挟持される。
【００１５】
したがって、撒き餌籠１を開放姿勢１６にすることによって、籠胴部８が開放するので撒き餌Ｍを収納するための開口部が大きくなり略だんご状の撒き餌Ｍは収納しやすくなる。また、撒き餌籠１を収縮姿勢１５にすることによって撒き餌Ｍは保持されるので撒き餌籠１を水中に投入する前に撒き餌籠１を反転（径内結束具３よりも籠縦材２の先端部７を下側に位置させた状態）しても撒き餌Ｍが籠縦材２の先端部７から籠外に出ることはない。
一方で、図５に示すように略だんご状の撒き餌Ｍの内部に針を忍ばせた状態で撒き餌Ｍを水中に投入すれば、籠縦材２が略起立しているので針１９を忍ばせてある撒き餌Ｍを籠縦材２の間から籠外Ｂ側に引っかけることなく出すことができる。
【００１６】
なお、図５において針１９はハリス糸１９ａに繋がっており、フック１１に括り付けられている道糸１９ｂと、ハリス糸１９ａは例えば釣り竿に繋がれている。
次に、本発明の第２の実施の形態を図に基づいて説明する。
図６〜７は本発明に係る撒き餌籠の第２の実施の形態を示している。
この撒き餌籠１は、上記第１の実施の形態と比べて、径外結束具４の形状と、径外結束具４と籠縦材２との結束方法が異なっており、他の構成は第１の実施の形態と同様である。
【００１７】
この径外結束具４は、１本のばね材に略くの字状の屈伸部１２と、１巻きした嵌合部１３とが交互に形成され、各嵌合部１３が各籠縦材２の屈曲部１４と対応した位置に嵌合され且つ固着（溶着、接着）され、各籠縦材２の屈曲部１４を環状に結束している。
したがって、径内結束具３が径外結束具４に対して相対移動した際には、径外結束具４のばね材が上記記載の第１の実施の形態と同様に外付勢手段１７として働き、その径外結束具４の収縮力によって籠縦材２の中途部に対して収縮方向の弾発力を与えることができるので、撒き餌籠１を収縮姿勢１５、又は、開放姿勢１６に切り換えることができる。
【００１８】
次に、本発明の第３の実施の形態を図に基づいて説明する。
図８〜９は本発明に係る撒き餌籠の第３の実施の形態を示している。
この撒き餌籠１は、上記第１の実施の形態と比べて、籠縦材２の屈曲部１４の形状と、径外結束具４の形状と、径外結束具４と籠縦材２との結束方法とが異なっており、他の構成は第１の実施の形態と同様である。
各籠縦材２の屈曲部１４には、籠縦材２自体を１巻きにして略リング状のリング部１８が設けられている。
【００１９】
径外結束具４は、伸縮するコイルばねで形成されており、各籠縦材２の屈曲部１４のリング部１８内にコイルばねを挿入して固着（溶着、接着）することによって各籠縦材２の屈曲部１４は環状に結束されている。
したがって、径内結束具３が径外結束具４に対して相対移動した際には、径外結束具４のコイルばねが外付勢手段１７として働き、その径外結束具４の収縮力によって籠縦材２の中途部に対して収縮方向の弾発力を与えることができるので、撒き餌籠１を収縮姿勢１５、又は、開放姿勢１６に切り換えることができる。
【００２０】
次に、本発明の第４の実施の形態を図に基づいて説明する。
図１０〜１２は本発明に係る撒き餌籠の第４の実施の形態を示している。
この撒き餌籠１は、上記第１の実施の形態と比べて、径内結束具３の形状と、径内結束具３と籠縦材２の結束方法と、径外結束具４の形状と、径外結束具４と籠縦材２との結束方法が異なっており、他の構成は第１の実施の形態と同様である。
図１０〜１２に示すように、径内結束具３は結束金具２０と、この結束金具２０の背部を閉塞する閉塞金具２１とを有している。
【００２１】
この結束金具２０は、略円筒状の外壁部２２ａと、この外壁部２２ａから内側に位置する略円筒状の内壁部２３ａと、外壁部２２ａと内壁部２３ａとを連結する連結部２４ａとを有しており、一体に形成されている。外壁部２２ａには、環状に配置されている各籠縦材２の間隔に対応して複数のスリット２５が設けられて、籠縦材２の基端部９が挿通できるようになっている。内壁部２３ａは外壁部２２ａの略中心に位置しており、内壁部２３ａの一方の端縁と外壁部２２の一方の端縁とは連結部２４ａで連結されている。
【００２２】
各籠縦材２の基端部９は、第１実施の形態と同様に略鉤形状となっており、図１１〜１２に示すように各籠縦材２の基端部９を内壁部２３ａに挿通させて係合することによって籠縦材２は径内結束具３により結束され、位置変更可能となるように結束されているので、第１の実施の形態と同様に姿勢変更することができる。
閉塞金具２１は、外壁部２２ｂと内壁部２３ｂとを連結する連結部２４ｂとを有しており、結束金具２０と略同形状に形成されている。外壁部２２ｂには結束金具２０の外壁部２２ａと同様に複数のスリット２５が設けられている。
【００２３】
閉塞金具２１は結束金具２０に嵌合可能となっており、結束金具２０の外壁部２２ａに閉塞金具２１の外壁部２２ｂを嵌合し、ボルトやナット等の連結具２６を締結することによって、閉塞金具２１と結束金具２０とは連結されている。
径外結束具４は、上記記載の第３実施の形態と同様に伸縮するコイルばねで形成されており、籠縦材２の外面に固着（溶着、接着）することによって籠縦材２の屈曲部１４の近傍を環状に結束している。
したがって、径内結束具３が径外結束具４に対して相対移動した際には、径外結束具４のコイルばねが外付勢手段１７として働き、その径外結束具４の収縮力によって籠縦材２の中途部に対して収縮方向の弾発力を与えることができるので、撒き餌籠１を収縮姿勢１５、又は、開放姿勢１６に切り換えることができる。
【００２４】
次に、本発明の第５の実施の形態を図に基づいて説明する。
図１３〜１５は本発明に係る撒き餌籠の第５の実施の形態を示している。
この撒き餌籠１は、上記第１の実施の形態と比べて、籠縦材２の屈曲部１４と径内結束具３と径外結束具４とのそれぞれの形状と、径内外結束具３の結束方法と、姿勢変更機構が異なっており、他の構成は第１の実施の形態と同様である。
図１３に示すように、各籠縦材２の屈曲部１４には、籠縦材２を２巻き（１巻きでもよい）して略リング状の嵌合部１３が形成されている。
【００２５】
径外結束具４は、略リング状に形成されており、この径外結束具４を各籠縦材２の屈曲部１４の嵌合部１３に挿入することによって、籠縦材２は互いの籠縦材２の周方向の間隔が略一定となるように環状に結束されると共に、籠縦材２は屈曲部１４を支点として揺動自在に結束されている。また、径外結束具４には、径外結束具４自体を変形して、各籠縦材２の屈曲部１４の両側に位置する突起部２７が複数個設けられており、これにより籠縦材２が周方向にずれないようになっている。
【００２６】
径内結束具３は、紐状のゴム部材で形成されており、このゴム部材を各籠縦材２の基端部９に括り付けることによって籠縦材２の基端部９は位置変更可能に結束されている。
したがって、籠縦材２が揺動自在に結束され、且つ、籠縦材２の基端部９が位置変更可能に結束されているので、径外結束具４に対して径内結束具２は相対移動可能になっており、この径内結束具３を籠内外方向４に位置変化させることによって撒き餌籠１を第１実施の形態と同様に姿勢変更することができる。
【００２７】
また、径内結束具３が籠内外方向に移動した際に、撒き餌籠１が収縮姿勢１５、又は、開放姿勢１６のどちらか一方に切り換わるように姿勢変更機構には、径内結束具３が径外結束具４に対して籠内外方向同一位置Ａにあるときに、籠縦材２の基端部９に対して伸張方向の弾発力を与える内付勢手段２８が設けられている。
この内付勢手段２８は、径内結束具３にゴム部材を使用することにより構成されており、この径内結束具３（ゴム部材）の弾性反発力によって籠縦材２の基端部９に対して伸張方向の弾発力を与えるようにしている。
【００２８】
即ち、図１５に示すように撒き餌籠１が収縮姿勢１５、又は、開放姿勢１６であるときには、籠縦材２の基端部９に対して径内結束具３による弾性反発力が働かないようになっているが、例えば籠外Ｂ側にある径内結束具３が籠内Ｃ方向に移動すると、籠縦材２の基端部９は径内方向に位置して径内結束具３を押圧するので、径内結束具３にはこの籠縦材２の基端部９の押圧力に反発して弾性反発力が働き始め、径内結束具３がさらに移動して径外結束具４と籠内外方向同一位置Ａになると、径内外方向における互いの籠縦材２の基端部９の間隔が短くなり、この基端部９が最も強い力で径内結束具３を押圧するので、基端部９に対する径内結束具３の弾性反発力は最大となる。また、籠内Ｃ側にある径内結束具３が籠外Ｂ方向に移動する場合においても、上記同様に径内結束具３が径外結束具４と籠内外方向同一位置Ａにあるときは、籠縦材２の基端部９に対する径内結束具３の弾性反発力は最大となっている。
【００２９】
したがって、径内結束具３が径外結束具４に対して籠内外方向同一位置Ａにあるときに、径内結束具３の最大の弾性反発力によって籠縦材２の基端部９に対して伸張方向の弾発力が与えられ、径内結束具３は籠内外方向同一位置Ａを基準として不安定切り換えされる。即ち、籠内外同一位置Ａを基準として径内結束具３が籠内Ｃ側に移動した時には、径内結束具３は籠内Ｃ側に付勢され、径内結束具３が籠外Ｂ側に移動した時には、径内結束具３は籠外Ｂ側に付勢されるようになり、撒き餌籠１を収縮姿勢１５、又は、開放姿勢１６に切り換えることができる。
【００３０】
次に、本発明の第６の実施の形態を図に基づいて説明する。
図１６〜１７は本発明に係る撒き餌籠の第６の実施の形態を示している。
この撒き餌籠１は、上記第５の実施の形態と比べて、径内結束具３の形状と、径内結束具３と籠縦材２の結束方法が異なっており、他の構成は第５の実施の形態と同様である。
径内結束具３は、略円形状のゴム部材で形成されており、径内結束具３の内部には籠縦材２の基端部９と係合する係合凹部２９が設けられている。この係合凹部２９は各籠縦材２の基端部９に対応する位置に設けられており、籠縦材２の基端部９が係合凹部２９に係合されることによって籠縦材２の基端部９を結束するようになっている。また、籠縦材２の基端部９は係合凹部２９において位置変更可能となっており、図１７に示すように、径内結束具３が径外結束具４と籠内外方向同一位置Ａにあるときには、上記記載の第５実施の形態と同様に径内結束具３に弾性反発力が働くことによって籠縦材２の基端部９に対して伸張方向の弾発力が与えることができるようになり、径内結束具３のゴム部材が内付勢手段２８となっている。
【００３１】
次に、本発明の第７の実施の形態を図に基づいて説明する。
図１８〜２０は本発明に係る撒き餌籠の第７の実施の形態を示している。
この撒き餌籠１は、上記第１の実施の形態と比べて、籠縦材２と径内外結束具３、４の形状と、籠縦材２と径内外結束具３、４との結束方法が異なっており、他の構成は第１の実施の形態と同様である。
図１８〜１９に示すように、籠縦材２は、平板部材で形成されており、籠縦材２の中心中途部から先端部７側は、次第に径内方向に湾曲しており、籠縦材２の中途部から基端部９側は径内方向に屈曲している。籠縦材２の屈曲部１４から基端部９にかけてハブ部１０が形成され、籠縦材７の屈曲部１４から先端部にかけて籠胴部８が形成されている。籠縦材２の長手方向の両端縁部は径内方向側に屈曲しており、籠縦材２の屈曲部１４近傍から基端部９にかけて籠縦材２の幅が次第に小さくなるように形成されている。また、籠縦材２の先端部は幅方向に湾曲形状となっている。
【００３２】
各籠縦材２の基端部９は、籠縦材２を一巻きして略筒状の嵌合部４０が形成されており、屈曲可能な線状の径内結束具３を嵌合部４０に環状に嵌合することによって基端部９は環状に結束され位置変更可能となっている。
また、径内結束具３には、撒き餌籠１を吊すフック１１が設けられている。
籠縦材２の屈曲部１４近傍には、籠縦材２を環状に結束する径外結束具４が設けられており、この径外結束具４は、径内方向に収縮する略リング状のゴム部材４ａと、籠縦材２の移動を規制する規制部材４ｂと、ゴム部材４ａと規制部材４ｂとをそれぞれ籠縦材２に係合する上下係合部４１を有している。
【００３３】
ゴム部材４ａは、籠縦材２の径内壁側に設けられた略鉤形状の上係合部４１ａに係合されており、ゴム部材４ａは上係合部４１ａを介して籠縦材２を環状に結束している。
規制部材４ｂは、金属、プラスチック、その他の材料で略リング状に形成されており、下係合部４１ｂに係合（挿通）されて下係合部４１ｂの先端部から基端部にかけて籠縦材２に接触しながら、径内結束具３に対して籠内外方向に相対移動可能となっている。
【００３４】
したがって、径外結束具４によって籠縦材２の周方向の互いの間隔が変更可能であると共に、径内結束具３によって籠縦材２の基端部９は位置変更可能に結束されているので、径外結束具４に対して径内結束具３は籠内外方向に相対移動することができ、この径内結束具３を籠内外方向に位置変化させることによって撒き餌籠１自体が姿勢変更することができる。
図１８に示すように、撒き餌籠１が収納姿勢１５であるときは、径外結束具４のゴム部材４ａが収縮して籠縦材２の中途部には弱い収縮力が与えられ、籠縦材２が径内方向に収縮しようとするが、規制部材４ｂの周部が籠縦材２の内壁に当設して籠縦材２の径内方向への移動を規制するので、撒き餌籠１は収縮姿勢１５に保持される。
【００３５】
図２０に示すように、撒き餌籠１が開放姿勢１６であるときは、収縮姿勢１５と同様に径外結束具４のゴム部材４ａが収縮して籠縦材２の中途部には弱い収縮力が与えられ、籠縦材２が径外方向に開放しようとするが、規制部材４ｂの周部が籠縦材２の内壁と下係合部４１ｂに当設して籠縦材２の径外方向への移動を規制するので、撒き餌籠１は開放姿勢１６に保持される。
また、径内結束具３が径外結束具４のゴム部材に対して籠内外方向同一位置Ａにあるときには、径外結束具４のゴム部材４ｂの収縮力が最大となり、これにより籠縦材２の中途部は収縮方向の弾発力が与えられ、径内結束具３は籠内外方向同一位置Ａを基準として不安定切り換えされる。
【００３６】
したがって、径内結束具３が径外結束具４に対して相対移動した際には、径外結束具４のゴム部材が外付勢手段１７として働き、その径外結束具４のゴム部材の収縮力によって籠縦材２の中途部に対して収縮方向の弾発力を与えることができるので、撒き餌籠１を収縮姿勢１５、又は、開放姿勢１６に切り換えることができる。
このような撒き餌籠１では、次のように撒き餌Ｍを撒き餌籠１内に収納することができる。
【００３７】
撒き餌籠１を開放姿勢１６にした状態で、籠縦材２の先端部７が撒き餌Ｍに接触するように撒き餌Ｍを収納している容器内に撒き餌籠１を入れ、撒き餌Ｍの外側に撒き餌籠１を覆い被せた状態にする。次に、籠外Ｂ側から手で撒き餌籠１の籠胴部８を軽く押さえフック１１を籠外Ｂ側に引き、撒き餌籠１を収縮姿勢１５に姿勢変更しながら籠縦材２の先端部７で撒き餌Ｍを籠内Ｃ方向に掬い上げると、撒き餌籠１内に撒き餌Ｍを収納することができる。
したがって、撒き餌籠１の姿勢変更によって容器内の撒き餌Ｍを籠内Ｃ方向に掬い上げて撒き餌籠１内に収納することができるので、撒き餌籠１内に撒き餌Ｍを収納する際に、手を汚すことがなく非常に衛生的である。
【００３８】
また、この撒き餌籠１を水中に投げ入れた際に、例えば、釣り竿によって撒き餌籠１を上下に揺らせば撒き餌籠１の籠胴部８が径外方向に若干開くので、撒き餌Ｍを効率よく水中に散布することができる。
本発明は、上記記載の実施の形態に限定されることなく適宜に設計変更が可能である。例えば、各実施の形態の構成を互いに組み合わせたり、１つの撒き餌籠１に内付勢手段１７と外付勢手段２８の両方を設けたりしても良い。
【００３９】
【発明の効果】
本発明によれば、籠胴部を開放形状になるように姿勢変更可能としたので、撒き餌を撒き餌籠内部に容易に収納できるようになった。
【図面の簡単な説明】
【図１】本発明の第１の実施の形態を示す撒き餌籠を収縮姿勢にした側面図である。
【図２】同撒き餌籠の収縮姿勢にした正面図である。
【図３】同撒き餌籠を開放姿勢にした斜視図である。
【図４】同撒き餌籠の姿勢変更における外付勢手段の説明図である。
【図５】同撒き餌籠が撒き餌を保持している側面図である。
【図６】本発明の第２の実施の形態を示す撒き餌籠を収縮姿勢にした側面図である。
【図７】同撒き餌籠の収縮姿勢にした正面図である。
【図８】本発明の第３の実施の形態を示す撒き餌籠を収縮姿勢にした側面図である。
【図９】同撒き餌籠の収縮姿勢にした正面図である。
【図１０】本発明の第４の実施の形態を示す撒き餌籠を収縮姿勢にした側面図である。
【図１１】同撒き餌籠の収縮姿勢にした正面図である。
【図１２】同撒き餌籠が姿勢変更した際の基端部の説明図である。
【図１３】本発明の５の実施の形態を示す撒き餌籠を収縮姿勢にした側面図である。
【図１４】同撒き餌籠の収縮姿勢にした正面図である。
【図１５】同撒き餌籠の姿勢変更における内付勢手段の説明図である。
【図１６】本発明の６の実施の形態を示す撒き餌籠を収縮姿勢にした正面図である。
【図１７】同径内結束具と籠縦材との結束断面図である。
【図１８】本発明の７の実施の形態を示す撒き餌籠を収縮姿勢にした側面図である。
【図１９】同撒き餌籠を開放姿勢にした正面図である。
【図２０】同撒き餌籠を開放姿勢にした側面図である。
【符号の説明】
１　　撒き餌籠
２　　籠縦材
３　　径内結束具
４　　径外結束具
７　　先端部（籠縦材の先端部）
８　　籠胴部
９　　基端部（籠縦材の基端部）
１０　ハブ部
１５　　収縮姿勢
１６　開放姿勢
１７　外付勢手段
２８　内付勢手段
Ａ　　籠内外方向同一位置
Ｂ　　籠外
Ｃ　　籠内
【図１】
2004141108.tif 000003
【図２】
2004141108.tif 000004
【図３】
2004141108.tif 000005
【図４】
2004141108.tif 000006
【図５】
2004141108.tif 000007
【図６】
2004141108.tif 000008
【図７】
2004141108.tif 000009
【図８】
2004141108.tif 000010
【図９】
2004141108.tif 000011
【図１０】
2004141108.tif 000012
【図１１】
2004141108.tif 000013
【図１２】
2004141108.tif 000014
【図１３】
2004141108.tif 000015
【図１４】
2004141108.tif 000016
【図１５】
2004141108.tif 000017
【図１６】
2004141108.tif 000018
【図１７】
2004141108.tif 000019
【図１８】
2004141108.tif 000020
【図１９】
2004141108.tif 000021
【図２０】
2004141108.tif 000022